(57)【特許請求の範囲】
【請求項１】
モニタと、
複数の曲データと、複数の映像情報とを記憶する情報記憶手段と、
前記情報記憶手段から読み出された曲データ中の歌詞データと映像情報とを合成して前記モニタに再生出力するモニタ制御手段と
を備えた映像再生装置において、
利用者情報を入力するための利用者情報入力手段を備え、
前記情報記憶手段は、前記映像情報を識別するための識別情報と前記利用者情報とを対応付けて記憶する第１の情報記憶手段と、前記識別情報と前記映像情報と曲調とを対応付けて記憶する第２の情報記憶手段とを備え、
前記モニタ制御手段は、選曲時に前記利用者情報入力手段により利用者情報が入力された場合には、その入力された利用者情報に対応する識別情報を前記第１の情報記憶手段から検出し、その検出された識別情報に対応する映像情報を前記第２の情報記憶手段から検出し、その検出された映像情報と、選曲された曲データ中の歌詞データとを合成して前記モニタに再生出力し、
選曲時に前記利用者情報入力手段により前記利用者情報が入力されなかった場合には、選曲された曲データ中の曲調であって前記第２の情報記憶手段に記憶された曲調に対応した映像情報と、選曲された曲データ中の歌詞データとを合成して前記モニタに再生出力することを特徴とする映像再生装置。
【発明の詳細な説明】
【０００１】
【発明の属する技術分野】
本発明は、例えば、飲食店やカラオケボックス等で提供されるカラオケ曲等の背景映像に使用可能な映像を再生する映像再生装置に関し、特に、利用者の興味等を考慮した映像の提供が可能な映像再生装置に関する。
【０００２】
【従来の技術】
従来、例えば、カラオケ装置と組み合わせて使用される映像再生装置において、カラオケの背景映像として使用される映像は、演奏されるカラオケ曲の曲調に応じて何種類かにわたって分類されており、利用者によってリクエストされたカラオケ曲の曲調に応じた背景映像を自動的に再生するように制御することによって選択していた。
【０００３】
一方、このような映像再生装置と組み合わせて利用されるカラオケ装置においては、このカラオケ装置の利用者にアンケートを実施したり、あるいは氏名、性別、年齢等を入力させることによって会員管理をすることが可能な、いわゆる会員管理装置を備えたカラオケ装置があり、その会員管理装置から取得した会員情報を例えば会員に対する特典等のサービスを提供する際に利用していた。
【０００４】
【発明が解決しようとする課題】
しかしながら、前述したように、従来の映像再生装置は、カラオケの背景映像として使用される場合には、リクエストされたカラオケ曲の曲調に合った背景映像を再生するのであるが、リクエストの主体である利用者に関する情報、例えば、利用者の性別、年齢、職業等の利用者個人情報を考慮にいれた上で映像を再生することはなかった。
【０００５】
また、このような映像再生装置と組み合わせて使用されるカラオケ装置の中で、特に、会員管理装置を備えたカラオケ装置においても、その会員管理装置を介して入力された個人データは、カラオケ演奏の際に再生される背景映像の選択に関しては何も活用されておらず、会員管理装置を備えたカラオケ装置といえども、背景映像の再生については相変わらず、単にリクエストされた曲調に応じた背景映像が選択されて再生されるに過ぎなかった。
【０００６】
本発明は、上述した問題点を解決するためになされたものであり、利用者の情報を考慮して、より利用者の興味等に応じた映像の再生が可能となる映像再生装置を提供することを目的とする。
【０００７】
【課題を解決するための手段】
この目的を達成するために、本発明の請求項１に記載の映像再生装置は、モニタと、  複数の曲データと、複数の映像情報とを記憶する情報記憶手段と、前記情報記憶手段から読み出された曲データ中の歌詞データと映像情報とを合成して前記モニタに再生出力するモニタ制御手段とを備えたものを対象として、特に、利用者情報を入力するための利用者情報入力手段を備え、前記情報記憶手段は、前記映像情報を識別するための識別情報と前記利用者情報とを対応付けて記憶する第１の情報記憶手段と、前記識別情報と前記映像情報と曲調とを対応付けて記憶する第２の情報記憶手段とを備え、前記モニタ制御手段は、選曲時に前記利用者情報入力手段により利用者情報が入力された場合には、その入力された利用者情報に対応する識別情報を前記第１の情報記憶手段から検出し、その検出された識別情報に対応する映像情報を前記第２の情報記憶手段から検出し、その検出された映像情報と、選曲された曲データ中の歌詞データとを合成して前記モニタに再生出力し、選曲時に前記利用者情報入力手段により前記利用者情報が入力されなかった場合には、選曲された曲データ中の曲調であって前記第２の情報記憶手段に記憶された曲調に対応した映像情報と、選曲された曲データ中の歌詞データとを合成して前記モニタに再生出力することを特徴とする。
【０００８】
このように構成された映像再生装置は、モニタ制御手段が、利用者情報入力手段により利用者情報が入力された場合には、第１の情報記憶手段に記憶された利用者情報に対応した映像情報と、曲データ中の歌詞データとを合成してモニタに再生出力し、利用者情報入力手段により利用者情報が入力されなかった場合には、曲データ中の曲調であって第２の情報記憶手段に記憶された曲調に対応した映像情報と、曲データ記憶手段から読み出された曲データ中の歌詞データとを合成してモニタに再生出力する。
【０００９】
【００１０】
ゆえに、利用者情報を反映させることによって、利用者の興味等に応じた映像の再生が可能となり、映像情報を有効に活用することができる。また、例えば、会員管理装置等によって取得した利用者情報の有効活用にもなる。
【００１１】
【００１２】
【００１３】
【００１４】
【００１５】
【００１６】
【００１７】
【００１８】
さらに、利用者情報を考慮に入れた映像の再生をする必要がないとして、利用者が利用者情報入力手段に利用者情報を入力しなかった場合には、モニタ制御手段が、曲データ中の曲調であって第２の情報記憶手段に記憶された曲調に対応した映像情報と、曲データ中の歌詞データとを合成してモニタに再生出力するので、より簡潔な構成で、柔軟な映像提供サービスの対応が可能となる。
【００１９】
【発明の実施の形態】
以下、本発明の映像再生装置を具体化した実施の形態について図面を参照して説明する。
【００２０】
まず、本実施の形態の映像再生装置の構成について、図１を参照して説明する。図１は、本実施の形態に係る映像再生装置のシステム構成を示すブロック図である。
【００２１】
本来であれば、図１に示す映像再生装置１のみで、本発明における映像再生装置を構成可能であるが、本実施の形態においては、図１に示す映像再生装置１とカラオケ装置２とを合せることにより、本発明における映像再生装置を構成する。
【００２２】
そして、図１において、映像再生装置１は、カラオケ装置２と接続されている。これにより、映像再生装置１から再生される映像を、カラオケの背景映像として利用することができる。
【００２３】
なお、映像再生装置１とカラオケ装置２とは、例えば、ＲＳ２３２Ｃケーブルや同軸ケーブル等を使用することにより接続されている。
【００２４】
ここで、本実施の形態に係る映像再生装置１の構成について説明する。
【００２５】
図１に示すように、映像再生装置１は、映像再生装置１全体を構成する各機器を制御するＣＰＵ３を有しており、このＣＰＵ３には、制御プログラムを記憶するＲＯＭ５、ワークエリアとしてのＲＡＭ４とが接続されている。
【００２６】
また、ＣＰＵ３には、ＤＶＤ（Ｄｉｇｉｔａｌ  Ｖｉｄｅｏ  Ｄｉｓｋ）ドライブ７が接続されており、ＤＶＤーＲＯＭ６が再生可能となっている。このＤＶＤーＲＯＭ６には、後述するように複数種類の映像情報がそれらの識別情報と対応づけられて記憶されている。従って、このＤＶＤーＲＯＭ６とＤＶＤドライブ７とで、本発明における映像情報記憶手段を構成する。
【００２７】
また、ＣＰＵ３及びＤＶＤドライブ７には、データ読取回路８が接続されており、このデータ読取回路８は、ＤＶＤドライブ７からのデジタル信号を読み取り、デジタルデータに変換する。
【００２８】
また、ＣＰＵ３及びデータ読取回路８には、圧縮データ復号化回路９が接続されており、この圧縮データ復号化回路９は、データ読取回路８から読み出されたＭＰＥＧ（Ｍｏｖｉｎｇ  Ｐｉｃｔｕｒｅ  Ｅｘｐｅｒｔ  Ｇｒｏｕｐ）規格で圧縮されているデジタルデータを伸長する。従って、このデータ読取回路８及び圧縮データ復号化回路９とで、本発明における読出手段を構成する。
【００２９】
また、圧縮データ復号化回路９には、映像出力回路１０が接続されており、この映像出力回路１０は、圧縮データ復号化回路９にて復号化されたディジタル映像データをアナログ映像信号に変調し、カラオケ装置２側へ出力する。
【００３０】
また、ＣＰＵ３には、カラオケ装置２と制御信号を送受信するためのシリアル入出力回路（以下、ＳＩＯという）１１、および、利用者が種々の設定条件を入力するための入力手段２４とが接続されている。
【００３１】
次に、上述した構成の映像再生装置１に接続された、本実施の形態に係る映像再生装置１におけるもう一方の構成要素であるカラオケ装置２の構成について説明する。
【００３２】
カラオケ装置２は、図１に示すように、カラオケ装置２全体を構成する各機器を制御するＣＰＵ１２を有している。このＣＰＵ１２には、制御プログラムを格納するＲＯＭ１５、ワークエリアとしてのＲＡＭ１４が接続されている。
【００３３】
そして、このＣＰＵ１２には、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）規格で構成されたカラオケ曲データを記憶したハードディスクを有するハードディスクドライブ１６が接続されている。このハードディスクドライブ１６内のハードディスクには、また、種々の利用者情報と映像情報の識別情報とが対応付けられた、映像再生指示情報としての対応テーブルが記憶されている。ゆえに、このハードディスクドライブ１６は、本発明における映像再生指示情報記憶手段に相当する。
【００３４】
また、ＣＰＵ１２には、映像再生装置１と制御信号を送受信するためのシリアル入出力回路（以下、ＳＩＯという）１３が接続されている。
【００３５】
また、ＣＰＵ１２には、ハードディスクドライブ１６内のハードディスクに記憶されたＭＩＤＩ規格のカラオケ曲データを復調するためのＭＩＤＩ装置１７が接続されている。
【００３６】
なお、ＭＩＤＩ装置１７には、アンプ１８が接続されており、このアンプ１８にはマイク１９及びスピーカ２０が接続されている。
【００３７】
また、ＣＰＵ１２及びＭＩＤＩ装置１７にはビデオミキサ２１が接続されており、このビデオミキサ２１は、ＭＩＤＩ装置１７から送られてくる歌詞データと、前述した映像再生装置１内の映像出力回路１０から送られてくるアナログ映像信号とを合成して映像データを作成する。
【００３８】
なお、ビデオミキサ２１には、モニタ２２が接続されており、ビデオミキサ２１にて合成された映像データがモニタ２２に対して出力され、いわゆるカラオケ映像が表示される。
【００３９】
更に、ＣＰＵ１２には、利用者がカラオケ曲の予約入力をするための入力手段２３が接続されている。また、この入力手段２３は、例えば、利用者の年齢、性別等といった個人情報が入力可能であり、その意味で、本発明における利用者情報入力手段に相当する。そして、この入力手段１２は、カラオケ装置２の本体に入力パネルとして形成されてもよいが、本実施の形態においては、後述するように、リモコン及びその受信部とで構成されている。
【００４０】
ＣＰＵ１２は、前述の入力手段２３によって入力された利用者情報に基づいて、ハードディスクドライブ１６内のハードディスクに記憶された対応テーブルを参照し、映像再生装置１側のＣＰＵ３に、再生すべき映像を選択させるための制御信号を送る。その結果、映像再生装置１内のＣＰＵ３は、前記ＣＰＵ１２からの制御信号に従って、ＤＶＤドライブ７からＤＶＤーＲＯＭ６に記憶された映像データを読み出す。この意味で、ＣＰＵ１２及びＣＰＵ３は、本発明における選択手段を構成する。
【００４１】
また、ＣＰＵ１２は、ハードディスクドライブ１６内のハードディスクに記憶されたカラオケ曲データを読み出し、そのデータ中に含まれたジャンルデータを識別し、そのジャンルデータを映像再生装置１側におけるＣＰＵ３に送信可能である。そして、ＣＰＵ３は、前記ＣＰＵ１２からのジャンルデータに基づいてＤＶＤドライブ７内のＤＶＤーＲＯＭ６に記憶された、リクエストされたカラオケ曲のジャンル（曲調）に応じた映像データを読み出すことができる。従って、ＣＰＵ１２及びＣＰＵ３は、本発明における曲調選択手段を構成する。
【００４２】
また、ＣＰＵ１２及びＣＰＵ３は、入力手段２３から利用者情報の入力がない場合には、前述したように、ＤＶＤドライブを駆動させ、利用者によって選曲された曲のジャンル（曲調）に応じた映像情報を、ＤＶＤーＲＯＭ６から読み出させる。従って、このＣＰＵ１２及びＣＰＵ３は、本発明における選択制御手段をも構成する。
【００４３】
なお、前述した利用者情報入力手段としての入力手段２３については、本実施の形態においてはリモコンとその受信部とで構成されている。
【００４４】
そこで、入力手段２３を構成するリモコン装置２３ａの構成について図２を参照して説明する。
【００４５】
リモコン装置２３ａは、図２に示すように、例えば、利用者情報の入力項目やリクエスト番号等を表示可能なディスプレイ２３ｂが形成されている。このディスプレイ２３ｂの下方には、利用者情報の入力項目を表示させるための情報表示キー２３ｄが設けられている。すなわち、利用者は、この情報表示キー２３ｄを押下することによって、ディスプレイ２３ｂには、利用者情報を入力するための項目が表示される。具体的には、例えば、利用者の性別、年齢、趣味等を入力するための項目が表示される。
【００４６】
この情報表示キー２３ｄの横には、ＩＤ入力キー２３ｅが設けられている。あらかじめ、利用者のＩＤ番号と年齢、性別等の利用者個人情報とが対応づけられており、その対応づけられたデータがテーブルとして、例えば、カラオケ装置２内のハードディスクドライブ１６内に記憶されておれば、利用者は、このＩＤ入力キー２３ｅを押下して、ＩＤ番号を入力することにより、ＣＰＵ１２は、カラオケ装置２内のハードディスクドライブ１６内の対応データテーブルを参照することにより、利用者個人情報を取得することができる。
【００４７】
これら情報表示キー２３ｄ及びＩＤ入力キー２３ｅの下方には、リクエスト番号やＩＤ番号を入力するためのテンキー２３ｆが設けられている。従って、前述した利用者情報を入力するための項目の選択や、ＩＤ番号の入力においては、このテンキー２３ｆを押下することによって可能となる。
【００４８】
更に、このテンキー２３ｆの横には、ディスプレイ２３ｂに表示された項目の位置を特定するカーソルキー２３ｇが設けられており、このカーソルキー２３ｇの下にはリクエスト番号や利用者個人情報を制御信号としてカラオケ装置２に対して送信するための入力キー２３ｈが設けられている。従って、利用者は、この入力キー２３ｈを押下することにより、リモコン２３ａの上部に形成された赤外線発信部２３ｃから赤外線信号が発信され、カラオケ装置２本体に形成された受信部が前記信号を受信する。
【００４９】
なお、この利用者情報もしくはＩＤ番号の入力については、選曲時に行うことによって、その利用者情報を考慮したカラオケ背景映像の再生が可能となる。
【００５０】
次に、カラオケ装置２内の映像再生指示情報記憶手段としてのハードディスクドライブ１６内に記憶された利用者情報と映像情報の識別情報とが対応付けられた対応テーブルの一例について、図３を参照して説明する。
【００５１】
図３に示すように、対応テーブル１６ａは、利用者情報と再生される映像の識別情報とがそれぞれ対応付けられたデータとして構成されている。
【００５２】
例えば、本実施の形態において入力可能な利用者情報の項目として、「利用者の年齢」、「性別」、「趣味」が取り上げられている。
【００５３】
そして、「利用者の年齢」の項目については、更に、「１０歳から２０歳」の項目があり、その項目に対応する再生映像の識別情報として、「０」が設定されている。また、「２１歳から４０歳」の項目が設定されており、その項目に対応する再生映像の識別情報として、「１」が設定されている。更に、「４１歳から５０歳」の項目が設定されており、その項目に対応する再生映像の識別情報として、「２」が設定されている。
【００５４】
一方、「性別」については、「男性」及び「女性」の項目があり、それぞれ、再生映像の識別情報として、「３」及び「４」が設定されている。
【００５５】
また、「趣味」については、「スポーツ」、「音楽」及び「料理」の各項目が設定されている。そして、それぞれ、再生映像の識別情報として、「５」、「６」及び「７」が設定されている。
【００５６】
次に、映像再生装置１内のＤＶＤーＲＯＭ６にＭＰＥＧ規格で記憶されている映像情報の形式について、図４を参照して説明する。
【００５７】
図４に示すように、ＤＶＤーＲＯＭ６に記憶された複数種類の映像情報は、それぞれ識別情報６ａ、映像実情報６ｂ及びジャンルデータ６ｃが対応付けられて記憶されている。
【００５８】
映像実情報６ｂはＭＰＥＧ規格で圧縮された映像の実データである。
【００５９】
識別情報６ａ及びジャンルデータ６ｃは、映像実情報６ｂを検索するためのデータであり、後述するように、識別情報６ａはハードディスクドライブ１６内の対応テーブル１６ａに格納された識別情報に基づき、一方、ジャンルデータ６ｃはカラオケ曲データ内のジャンルデータに基づきそれぞれ参照されるためのデータである。
【００６０】
例えば、ストーリー性のある映像データや人気アーチストの映像データに関しては、識別情報「０」が付されている。そして、この識別情報「０」は、前述した、ハードディスクドライブ１６内の対応テーブル１６ａによると、「年齢１０歳〜２０歳」に該当する利用者情報と対応付けられている。なお、本実施の形態においては、このストーリー性のある映像や人気アーチストの映像データは複数の映像データが群として編集されている。そして、この映像データには、ジャンルデータが対応付けられており、「ポップス」のジャンルが付けられている。
【００６１】
また、例えば、流行映画やドラマの映像データの集まりに関しては、識別情報「１」が付されている。そして、この識別情報「１」は、前述した、ハードディスクドライブ１６内の対応テーブル１６ａによると、「年齢２１歳〜４０歳」に該当する利用者情報と対応付けられている。また、「主題歌」のジャンルデータが付けられている。
【００６２】
更に、例えば、きれいな景色の映像データや着物姿の映像データの集まりに関しては、識別情報「２」が付されている。そして、この識別情報「２」は、前述した、ハードディスクドライブ１６内の対応テーブル１６ａによると、「年齢２１歳〜４０歳」に該当する利用者情報と対応付けられている。また、「演歌」のジャンルデータが付けられている。
【００６３】
また、例えば、女性アイドルの映像データの集まりに関しては、識別情報「３」が付されている。そして、この識別情報「３」は、前述した、ハードディスクドライブ１６内の対応テーブル１６ａによると、性別が「男性」に該当する利用者情報と対応付けられている。また、「ロック」のジャンルデータが付けられている。
【００６４】
更に、例えば、女性アイドルの映像データの集まりに関しては、識別情報「４」が付されている。そして、この識別情報「４」は、前述した、ハードディスクドライブ１６内の対応テーブル１６ａによると、性別が「女性」に該当する利用者情報と対応付けられている。また、「ロック」のジャンルデータが付けられている。
【００６５】
また、例えば、スキー、スノーボード、テニスをしている光景の映像データの集まりに関しては、識別情報「５」が付されている。そして、この識別情報「５」は、前述した、ハードディスクドライブ１６内の対応テーブル１６ａによると、趣味が「スポーツ」に該当する利用者情報と対応付けられている。また、「ロック」のジャンルデータが付けられている。
【００６６】
また、例えば、バンド活動やピアノ演奏をしている光景の映像データの集まりに関しては、識別情報「６」が付されている。そして、この識別情報「６」は、前述した、ハードディスクドライブ１６内の対応テーブル１６ａによると、趣味が「音楽」に該当する利用者情報と対応付けられている。また、「ポップス」のジャンルデータが付けられている。
【００６７】
更に、例えば、一品料理やお菓子の作り方をレクチャーしている映像データの集まりに関しては、識別情報「７」が付されている。そして、この識別情報「７」は、前述した、ハードディスクドライブ１６内の対応テーブル１６ａによると、趣味が「料理」に該当する利用者情報と対応付けられている。また、「ポップス」のジャンルデータが付けられている。
【００６８】
ここで、図５ないし図７のフローチャートを参照して、この映像再生装置１及びカラオケ再生装置２の動作について説明する。
【００６９】
カラオケ装置２内のＣＰＵ１２は、利用者によって入力手段２３からカラオケ曲のリクエスト番号が入力されたか否か待機している（Ｓ１、Ｓはステップを示す。以下同様）。そして、入力手段２３からリクエスト入力があると（Ｓ１：ＹＥＳ）、ＣＰＵ１２は、ハードディスクドライブ１６を駆動させ、記憶されているカラオケ曲データの中から該当するカラオケ曲データを読み出し、ＲＡＭ１４に記憶させておく（Ｓ３）。
【００７０】
次に、ＣＰＵ１２は、入力手段２３から利用者情報の入力があったか否かを判断する（Ｓ５）。
【００７１】
利用者情報の入力としては、前述したように、リモコン２３ａにおける情報表示キー２３ｄを押下することによって、ディスプレイ２３ｂに表示された利用者情報の選択項目をテンキー２３ｆにて押下して選択することによって実現される。あるいは、例えば、カラオケ装置２におけるハードディスクドライブ１６内のハードディスクに利用者のＩＤ番号と利用者情報とが対応付けられて記憶されている場合は、リモコン装置２３ａにおけるＩＤ入力キー２３ｅを押下することによって、利用者情報の入力が実現される。
【００７２】
そして、ＣＰＵ１２は、入力手段２３を介して利用者情報が入力されたことを判断すると（Ｓ５：ＹＥＳ）、後述する背景映像選択処理に移行する（Ｓ７）。一方。利用者情報が入力されなかった場合には（Ｓ５：ＮＯ）、Ｓ３にて読み出したカラオケ曲データの中のジャンルデータを判別する（Ｓ９）。そして、ＣＰＵ１２は、ＳＩＯ１３及びＳＩＯ１１を介して、このジャンルデータを映像再生装置１内のＣＰＵ３へ送り、ＣＰＵ３は、このジャンルデータを基に、映像再生装置１におけるＤＶＤーＲＯＭ６に記憶された映像データを選択的に読み出すＳ１１の動作に移行する（Ｓ１１）。
【００７３】
すなわち、この場合の映像データの読み出し動作について説明すると、ＣＰＵ３は、取得したジャンルデータを手がかりに、前述した図４に示した形式でＤＶＤーＲＯＭ６内に記憶された映像データにおけるジャンルデータ６ｃを読み出す。なお、この場合、ＣＰＵ３が取得した１つのジャンルデータに該当する映像映像データは複数あるので、それらジャンルデータと対応する複数の映像データの中から、ランダムに、もしくは所定の順序に従って１つ１つの映像データを選択しながら読み出すことになる。
【００７４】
一方、入力手段２３を介して利用者情報を入力した場合における背景映像選択処理（Ｓ７）について図６及び図７のフローチャートを参照して説明する。
【００７５】
カラオケ装置１におけるＣＰＵ１２は、利用者によって入力手段２３の入力を介して受信した利用者情報が年齢情報であるか否かを判断する（Ｓ５１）。
【００７６】
そして、年齢情報であると判断すると（Ｓ５１：ＹＥＳ）、「１０歳から２０歳まで」の選択項目を入力したか否か判断する（Ｓ５３）。入力したならば（Ｓ５３：ＹＥＳ）、ＣＰＵ１２は、ハードディスクドライブ１６内に記憶された対応テーブル１６ａを検索し、その選択項目に対応する識別情報「０」を読み出す（Ｓ５５）。それからメインルーチンに戻る。
【００７７】
一方、入力された選択項目が「１０歳から２０歳まで」の項目ではなく（Ｓ５３：ＮＯ）、「２１歳から４０歳まで」の項目であれば（Ｓ５７：ＹＥＳ）、ＣＰＵ１２は、ハードディスクドライブ１６内に記憶された対応テーブル１６ａを検索し、その選択項目に対応する識別情報「１」を読み出す（Ｓ５９）。それから、メインルーチンに戻る。
【００７８】
更に、入力された選択項目が「２１歳から４０歳まで」でない場合は（Ｓ５７：ＮＯ）、「４１歳から５０歳まで」であるとして、ＣＰＵ１２は、ハードディスクドライブ１６内に記憶された対応テーブル１６ａを検索し、その選択項目に対応する識別情報「２」を読み出す（Ｓ６１）。それから、メインルーチンに戻る。
【００７９】
さて、Ｓ５１において、ＣＰＵ１２が受信した利用者情報が年齢情報ではなく（Ｓ５１：ＮＯ）、性別情報であれば（Ｓ６３：ＹＥＳ）、それが「男性」であるか否かを判断する（Ｓ６５）。そして、「男性」であった場合（Ｓ６５：ＹＥＳ）、ＣＰＵ１２は、ハードディスクドライブ１６内に記憶された対応テーブル１６ａを検索し、その選択項目に対応する識別情報「３」を読み出す（Ｓ６７）。それから、メインルーチンに戻る。
【００８０】
一方、性別情報が「男性」でない場合は（Ｓ６５：ＮＯ）、「女性」であるとして、ＣＰＵ１２は、ハードディスクドライブ１６内に記憶された対応テーブル１６ａを検索し、その選択項目に対応する識別情報「４」を読み出す（Ｓ６９）。それから、メインルーチンに戻る。
【００８１】
また、Ｓ６３において、受信した利用者情報が性別情報でなかった場合は（Ｓ６３：ＮＯ）、趣味情報であるとして（Ｓ７１）、まず、スポーツであるか否かを判断する（Ｓ７３）。その結果、「スポーツ」であった場合（Ｓ７３：ＹＥＳ）、ＣＰＵ１２は、ハードディスクドライブ１６内に記憶された対応テーブル１６ａを検索し、その選択項目に対応する識別情報「５」を読み出す（Ｓ７５）。それから、メインルーチンに戻る。
【００８２】
一方、受信した趣味情報が「スポーツ」でなく（Ｓ７３：ＮＯ）、「音楽」であった場合には（Ｓ７７：ＹＥＳ）、ＣＰＵ１２は、ハードディスクドライブ１６内に記憶された対応テーブル１６ａを検索し、その選択項目に対応する識別情報「６」を読み出す（Ｓ７９）。それから、メインルーチンに戻る。
【００８３】
また、受信した趣味情報が音楽情報でなかった場合には（Ｓ７７：ＮＯ）、料理情報であるとして、ＣＰＵ１２は、ハードディスクドライブ１６内に記憶された対応テーブル１６ａを検索し、その選択項目に対応する識別情報「７」を読み出す（Ｓ７５）。それから、メインルーチンに戻る。
【００８４】
そこで、メインルーチンに戻った後、ＣＰＵ１２は、上述したようにして取得した識別情報を手がかりに、図４に示したＤＶＤーＲＯＭ６内の映像データの識別情報を参照し、一致する識別情報に対応した映像情報を選択し、その映像情報を読み出す（Ｓ１１）。
【００８５】
そして、ＣＰＵ１２は、カラオケ曲データ中の演奏データをＭＩＤＩ装置１７へ送信し、アンプ１８にて増幅し、スピーカ２０から演奏音として再生出力し、映像出力回路１０から送られてきた前記映像データと、ＭＩＤＩ装置１７から送られてきたカラオケ曲データ中の歌詞データとをビデオミキサ２１にて合成し、その映像をモニタ２２に対して再生出力する（Ｓ１３）。
【００８６】
その後、そのカラオケ曲が終了したことを検出することにより（Ｓ１５：ＹＥＳ）、一連の動作を終了する。
【００８７】
すなわち、上述した本発明の映像再生装置としての映像再生装置１及びカラオケ装置２は、利用者情報入力手段としての入力手段２３を介して利用者情報の入力が可能であり、選択手段としてのＣＰＵ１２及びＣＰＵ３が、前記入力手段２３を介して入力された利用者情報に応じた映像情報を選択するのである。
【００８８】
そして、読出手段としてのデータ読取回路８及び圧縮データ復号化回路９が、選択手段としてのＣＰＵ１２及びＣＰＵ３により選択された映像情報を読み出すのである。
【００８９】
更に、映像再生指示情報記憶手段としてのハードディスクドライブ１６が、利用者情報に応じて再生すべき映像情報の識別情報を記憶し、前記ＣＰＵ１２及びＣＰＵ３が、前記ハードディスクドライブ１６から読み出した識別情報に基づいて映像情報を選択するのである。
【００９０】
また、曲調選択手段としてのＣＰＵ１２及びＣＰＵ３が利用者によって選曲された曲調に応じた映像情報を選択させる。そして、選択制御手段としてのＣＰＵ１２及びＣＰＵ３が、前記選択手段及び前記曲調選択手段のいずれかによって映像情報を選択させるのである。
【００９１】
なお、前記ＣＰＵ１２及びＣＰＵ３は、前記利用者情報入力手段からの入力がなかったときに、前記曲調選択手段から映像情報を選択させる。
【００９２】
以上説明した映像再生装置１及びカラオケ装置２によれば、入力手段２３から利用者情報を入力することにより、より利用者情報を反映させた、利用者の興味に沿った映像の再生が可能となる。
【００９３】
なお、本発明は上述した実施の形態に限定されることなく、本発明の要旨を逸脱しない範囲で種々の応用が可能である。
【００９４】
例えば、本実施の形態においては、映像情報記憶手段において使用される記憶媒体としてＤＶＤーＲＯＭ６を使用したが、それに限らず、ＣＤーＲＯＭやレーザディスクであってもよい。
【００９５】
また、本実施の形態においては利用者情報の項目について、「年齢」、「性別」、「趣味」をそれぞれ１つずつに設定したが、１つに限らず、それらを組み合せた識別情報を作成し、それぞれに最適な映像データを対応付けてもよい。例えば、「１０歳から２０歳まで（年齢）かつ女性（性別）かつスポーツ（趣味）」といった組み合せを１つの識別情報として、それに最適な映像データを対応付け、ＤＶＤーＲＯＭ６内にその識別情報及び映像データを対応付けて記憶させ、ハードディスクドライブ１６内のハードディスクには識別情報と利用者情報とを対応付けたテーブルを記憶させておくことにより、利用者により適切な映像を提供することが可能となる。
【００９６】
【発明の効果】
以上説明したことから明かなように、本発明の請求項１に記載の映像再生装置によれば、モニタ制御手段は、選曲時に利用者情報入力手段により利用者情報が入力された場合には、その入力された利用者情報に対応する識別情報を第１の情報記憶手段から検出し、その検出された識別情報に対応する映像情報を第２の情報記憶手段から検出し、その検出された映像情報と、選曲された曲データ中の歌詞データとを合成してモニタに再生出力し、選曲時に利用者情報入力手段により利用者情報が入力されなかった場合には、選曲された曲データ中の曲調であって前記第２の情報記憶手段に記憶された曲調に対応した映像情報と、選曲された曲データ中の歌詞データとを合成して前記モニタに再生出力するので、利用者の情報を考慮して、より利用者の興味等に応じた映像の再生が可能となる。すなわち、利用者はリクエストした曲を歌っているときに自分に興味がある映像を見ることができ、より映像情報を有効に活用することができる。また、例えば、会員管理装置等によって取得した利用者情報の有効活用にもなる。
【００９７】
【００９８】
【００９９】
また、利用者が利用者情報入力手段により利用者情報を入力しなかった場合には、曲調に応じた映像情報でもって、より簡潔な構成で、柔軟な映像提供サービスの対応ができる。
【図面の簡単な説明】
【図１】  本実施の形態における映像再生装置の構成を示すブロック図である。
【図２】  本実施の形態の映像再生装置を構成するリモコンの外観を示す図である。
【図３】  ハードディスクドライブ内のデータの記憶構成を示す図である。
【図４】  ＤＶＤーＲＯＭ内に記憶されている映像データの記憶構成を示す図である。
【図５】  本実施の形態における映像再生装置の動作を示すフローチャートである。
【図６】  本実施の形態における映像再生装置の動作を示すフローチャートである。
【図７】  本実施の形態における映像再生装置の動作を示すフローチャートである。
【符号の説明】
３    ＣＰＵ
６    ＤＶＤーＲＯＭ
７    ＤＶＤドライブ
８    データ読取回路
９    圧縮データ復号化回路
１０    映像出力回路
１２    ＣＰＵ
１６    ハードディスクドライブ
２３    入力手段
【図１】
0003893668.tif 000002
【図２】
0003893668.tif 000003
【図３】
0003893668.tif 000004
【図４】
0003893668.tif 000005
【図５】
0003893668.tif 000006
【図６】
0003893668.tif 000007
【図７】
0003893668.tif 000008